(57)【要約】【課題】簡便な操作によって端末装置に記憶されているコンテンツの再生履歴情報に基づいてコンテンツの続きを視聴することができるネットワークシステムを提供する。【解決手段】サーバ装置１０とネットワーク３０を介して接続可能状態にある少なくとも１つの端末装置２０から送信されたカテゴリー名に基づいて、カテゴリー名リストを作成して、第１の選択候補として出力する第１のリスト出力手段１３−２と、選択されたカテゴリー名が記憶されているそれぞれの端末装置２０ａ，２０ｂ・・・から送信された再生履歴情報に基づいて再生履歴情報リストを作成して、第２の選択候補として出力する第２のリスト出力手段１３−４と、第２の選択候補からいずれかの再生履歴情報が選択されると、選択された再生履歴情報に基づいてコンテンツ出力手段１１−１にコンテンツを出力させる出力命令手段１３−５と、を含む。【選択図】図３
2008283368.tif 000002
【特許請求の範囲】
【請求項１】
コンテンツの再生を制御するためのネットワークシステムであって、
コンテンツを出力するコンテンツ出力手段と、
前記コンテンツ出力手段にアクセス可能なサーバ装置と、を備え、
前記サーバ装置は、
前記サーバ装置とネットワークを介して接続可能状態にある少なくとも１つの端末装置を認識する認識手段と、
前記サーバ装置とネットワークを介して接続可能状態にある少なくとも１つの端末装置から送信されたカテゴリー名に基づいて、カテゴリー名リストを作成して、第１の選択候補として出力する第１のリスト出力手段と、
前記第１の選択候補からいずれかのカテゴリー名が選択されると、選択されたカテゴリー名が記憶されているそれぞれの端末装置に、前記カテゴリー名に関連付けられて記憶されている再生履歴情報を送信させるための要求を行う要求手段と、
前記それぞれの端末装置から送信された再生履歴情報に基づいて再生履歴情報リストを作成して、第２の選択候補として出力する第２のリスト出力手段と、
前記第２の選択候補からいずれかの再生履歴情報が選択されると、選択された再生履歴情報に基づいて前記コンテンツ出力手段に前記コンテンツを出力させる出力命令手段と、を含み、
前記サーバ装置とネットワークを介して接続可能な複数の端末装置をさらに備え、
各々の前記端末装置は、
コンテンツに関する再生履歴情報を、カテゴリー名に関連付けて記憶する端末記憶手段と、
前記カテゴリー名を前記サーバ装置に送信する端末送信手段と、を含み、
前記端末送信手段は、前記サーバ装置からの要求に応じて、前記カテゴリー名に関連付けられて記憶されている再生履歴情報を前記サーバ装置に送信する、ネットワークシステム。
【請求項２】
前記サーバ装置は、
前記コンテンツ出力手段がコンテンツの出力を停止した位置に基づいて再生履歴情報を更新するサーバ更新手段と、
前記カテゴリー名を記憶しており、前記コンテンツの出力が停止された際に前記サーバ装置とネットワークを介して接続可能状態にある端末装置に、更新された再生履歴情報を送信する更新情報送信手段と、をさらに備え、
前記端末装置は、
受信した前記更新された再生履歴情報に基づいて、前記カテゴリー名に関連付けて記憶されている再生履歴情報を更新する端末更新手段と、をさらに備える、請求項１に記載のネットワークシステム。
【請求項３】
前記再生履歴情報は、前記コンテンツの配信元のＵＲＩ情報を含む、請求項１または２に記載のネットワークシステム。
【請求項４】
コンテンツを出力するコンテンツ出力手段と、前記コンテンツ出力手段にアクセス可能なサーバ装置と、前記サーバ装置とネットワークを介して接続可能な複数の端末装置と、を利用したコンテンツの再生制御方法であって、
前記端末装置が、コンテンツに関する再生履歴情報をカテゴリー名に関連付けて記憶するステップと、
前記サーバ装置が、前記サーバ装置とネットワークを介して接続可能状態にある少なくとも１つの端末装置を認識するステップと、
前記接続可能状態にある少なくとも１つの端末装置が、前記カテゴリー名を前記サーバ装置に送信するステップと、
前記サーバ装置が、前記サーバ装置とネットワークを介して接続可能状態にある少なくとも１つの端末装置から送信されたカテゴリー名に基づいて、カテゴリー名リストを作成して、第１の選択候補として出力するステップと、
前記サーバ装置が、前記第１の選択候補からいずれかのカテゴリー名が選択されると、選択されたカテゴリー名が記憶されているそれぞれの端末装置に、前記カテゴリー名に関連付けられて記憶されている再生履歴情報を送信させるための要求を行うステップと、
前記それぞれの端末装置が、サーバ装置からの要求に応じて、前記カテゴリー名に関連付けられて記憶されている再生履歴情報を前記サーバ装置に送信するステップと、
前記サーバ装置が、前記それぞれの端末装置から送信された再生履歴情報に基づいて再生履歴情報リストを作成して、第２の選択候補として出力するステップと、
前記第２の選択候補からいずれかの再生履歴情報が選択されて、前記コンテンツ出力手段が、選択された再生履歴情報に基づいて前記コンテンツを出力するステップと、を備える、コンテンツの再生制御方法。
【請求項５】
前記サーバ装置が、前記コンテンツ出力手段がコンテンツの出力を停止した位置に基づいて再生履歴情報を更新するステップと、
前記サーバ装置が、前記カテゴリー名を記憶しており、前記コンテンツの出力が停止された際に前記サーバ装置とネットワークを介して接続可能状態にある端末装置に、更新された再生履歴情報を送信するステップと、
前記端末装置が、受信した前記更新された再生履歴情報に基づいて、前記カテゴリー名に関連付けて記憶されている再生履歴情報を更新するステップと、をさらに備える、請求項４に記載のコンテンツの再生制御方法。
【請求項６】
前記再生履歴情報は、前記コンテンツの配信元のＵＲＩ情報を含む、請求項４または５に記載のコンテンツの再生制御方法。
【請求項７】
ネットワークを介して少なくとも１つの端末装置と接続可能なサーバ装置であって、
コンテンツを出力するコンテンツ出力手段にアクセス可能であり、
前記サーバ装置とネットワークを介して接続可能状態にある少なくとも１つの端末装置を認識する認識手段と、
前記サーバ装置とネットワークを介して接続可能状態にある少なくとも１つの端末装置から送信されたカテゴリー名に基づいて、カテゴリー名リストを作成して、第１の選択候補として出力する第１のリスト出力手段と、
前記第１の選択候補からいずれかのカテゴリー名が選択されると、選択されたカテゴリー名が記憶されているそれぞれの端末装置に、前記カテゴリー名に関連付けられて記憶されている再生履歴情報を送信させるための要求を行う要求手段と、
前記それぞれの端末装置から送信された再生履歴情報に基づいて再生履歴情報リストを作成して、第２の選択候補として出力する第２のリスト出力手段と、
前記第２の選択候補からいずれかの再生履歴情報が選択されると、選択された再生履歴情報に基づいて前記コンテンツ出力手段に前記コンテンツを出力させる出力命令手段と、を備える、サーバ装置。
【請求項８】
前記コンテンツ出力手段がコンテンツの出力を停止した位置に基づいて再生履歴情報を更新するサーバ更新手段と、
前記カテゴリー名を記憶しており、前記コンテンツの出力が停止された際に前記サーバ装置とネットワークを介して接続可能状態にある端末装置に、更新された再生履歴情報を送信する更新情報送信手段と、をさらに備える、請求項７に記載のサーバ装置。
【請求項９】
前記再生履歴情報は、前記コンテンツの配信元のＵＲＩ情報を含む、請求項７または８に記載のサーバ装置。
【請求項１０】
ネットワークを介して、コンテンツを出力するコンテンツ出力手段とアクセス可能なサーバ装置に接続可能な端末装置であって、
コンテンツに関する再生履歴情報を、カテゴリー名に関連付けて記憶する端末記憶手段と、
前記カテゴリー名を前記サーバ装置に送信する端末送信手段と、を含み、
前記端末送信手段は、前記サーバ装置からの要求に応じて、前記カテゴリー名に関連付けられて記憶されている再生履歴情報を前記サーバ装置に送信する、端末装置。
【請求項１１】
サーバ装置から受信した更新された再生履歴情報に基づいて、前記カテゴリー名と関連付けて記憶されている再生履歴情報を更新する端末更新手段と、をさらに備える、請求項１０に記載の端末装置。
【請求項１２】
前記再生履歴情報は、前記コンテンツの配信元のＵＲＩ情報を含む、請求項１０または１１に記載の端末装置。
【発明の詳細な説明】
【技術分野】
【０００１】
本発明は、コンテンツの再生を制御するためのネットワークシステム、ネットワークを介して少なくとも１つの端末装置と接続可能なサーバ装置、ネットワークを介してサーバ装置に接続可能な端末装置、およびコンテンツの再生制御方法の技術に関し、特に前記コンテンツを複数のユーザで視聴する際に利便性が高いネットワークシステム、サーバ装置、端末装置、および再生制御方法の技術に関する。
【背景技術】
【０００２】
放送される番組などのコンテンツをＤＬＮＡ（Digital Living Network Alliance）の仕組みを利用して、ストリーム受信しながら視聴を楽しむ再生装置が利用されるようになってきている。このような再生装置においては、あるコンテンツの再生を停止させた場合に、次回にその停止位置から再生を再開できるように、当該停止位置がレジュームポイントとして前記再生装置に記録される。
【０００３】
家庭においてこのような再生装置を用いてコンテンツを視聴する場合、一般的には、複数のユーザ（たとえば家族等）によってコンテンツが視聴される。そこで、特開２００３−１７４６３６号公報（特許文献１）においては、再生装置がサーバに対して、ユーザ登録を行い、ユーザ毎にコンテンツのレジューム情報を記憶するように依頼することによって、前回の停止位置からコンテンツを再生可能とする技術が開示されている。つまり、特開２００３−１７４６３６号公報（特許文献１）に開示されている再生装置においては、ユーザ毎に番組と当該番組に関すレリジュームポイントとが記録されるため、前記レジュームポイントに基づいてそれぞれのユーザがコンテンツの続きを視聴することができる。
【特許文献１】特開２００３−１７４６３６号公報
【発明の開示】
【発明が解決しようとする課題】
【０００４】
しかしながら、特開２００３−１７４６３６号公報（特許文献１）の再生装置においては、複数のユーザが同一のコンテンツを同時に視聴している状況では、コンテンツの再生・停止操作を行ったときに、前記コンテンツのレジューム情報が再生・停止操作を行ったユーザの情報として保存されてしまう。このため、一緒に視聴していた他のユーザが当該コンテンツを前回の停止位置から再生するためには、再生・停止操作を行ったユーザに頼んでコンテンツを再生してもらわなければならない。つまり、従来の再生装置には、コンテンツの再開時に非常に煩雑な操作が要求されるという問題がある。
【０００５】
また、複数のユーザが同時に同じコンテンツを見ている状況において、コンテンツの再生・停止操作を行った場合に、それぞれのユーザが１人でコンテンツの続きを視聴するためには、それぞれのユーザ名にてログインし、当該ユーザの情報としてレジューム情報をコピーして上書きするなどの操作を行わなければならない。
【０００６】
また、複数のユーザが同一のコンテンツを視聴している最中に当該ユーザの１人が一旦外出した場合に、当該ユーザが外出から帰宅してコンテンツの続きを視聴するためには、以下のような煩雑な手続きが必要になる。すなわち、外出する前に外出するユーザのユーザ名にてログインして当該ユーザが停止操作を行い、当該ユーザ名にてレジューム情報を登録する必要がある。そして、ユーザが外出から帰宅した後に、当該ユーザ名にてログインし、前記レジューム情報に基づく停止位置からコンテンツを再開する必要がある。
【０００７】
このように従来の再生装置やサーバ装置では、複数のユーザが同一のコンテンツを視聴している状況で一部のユーザが外出する場合、上記のような煩雑な操作を行ってコンテンツの続きを視聴するためのレジューム情報を記憶する必要があった。
【０００８】
本発明は前記問題点を解決するためになされたものであって、本発明の主たる目的は、簡便な操作によって端末装置に記憶されているコンテンツの再生履歴情報に基づいてコンテンツの続きを視聴することができるネットワークシステム、サーバ装置、端末装置、および再生制御方法を提供することである。
【課題を解決するための手段】
【０００９】
本発明に係るネットワークシステムは、コンテンツの再生を制御するためのネットワークシステムであって、コンテンツを出力するコンテンツ出力手段と、コンテンツ出力手段にアクセス可能なサーバ装置と、を備え、サーバ装置は、サーバ装置とネットワークを介して接続可能状態にある少なくとも１つの端末装置を認識する認識手段と、サーバ装置とネットワークを介して接続可能状態にある少なくとも１つの端末装置から送信されたカテゴリー名に基づいて、カテゴリー名リストを作成して、第１の選択候補として出力する第１のリスト出力手段と、第１の選択候補からいずれかのカテゴリー名が選択されると、選択されたカテゴリー名が記憶されているそれぞれの端末装置に、カテゴリー名に関連付けられて記憶されている再生履歴情報を送信させるための要求を行う要求手段と、それぞれの端末装置から送信された再生履歴情報に基づいて再生履歴情報リストを作成して、第２の選択候補として出力する第２のリスト出力手段と、第２の選択候補からいずれかの再生履歴情報が選択されると、選択された再生履歴情報に基づいてコンテンツ出力手段にコンテンツを出力させる出力命令手段と、を含み、サーバ装置とネットワークを介して接続可能な複数の端末装置をさらに備え、各々の端末装置は、コンテンツに関する再生履歴情報を、カテゴリー名に関連付けて記憶する端末記憶手段と、カテゴリー名をサーバ装置に送信する端末送信手段と、を含み、端末送信手段は、サーバ装置からの要求に応じて、カテゴリー名に関連付けられて記憶されている再生履歴情報をサーバ装置に送信する。
【００１０】
ここで、「コンテンツ出力手段」とは、データを映像や音声に変換して出力する装置だけでなく、当該データをそのまま他の装置へ出力する装置も含む。そして、「コンテンツ出力手段」は、ディスプレイやハードディスクレコーダだけでなく、コンテンツ配信業者等が所有する他のサーバ装置等も含むものであって、コンテンツを記憶してそれらに関するデータを出力可能な機能を有する装置を含む概念である。また、「コンテンツ出力手段にアクセス可能」とは、サーバ装置にディスプレイやハードディスクレコーダ等のコンテンツ出力手段が装備されている形態だけでなく、サーバ装置がネットワークを介して他の装置に装備されているコンテンツ出力手段にアクセス可能な形態も含む概念である。
【００１１】
この場合には、通信機能を有するサーバ装置が、ネットワークを介してアクセス可能な状態にある端末装置を把握し、端末装置から各々の端末装置が記憶しているカテゴリー名を取得し、カテゴリー名に関する情報からカテゴリー名リストを作成して表示する。そして、ユーザ等がカテゴリー名リストから所望のカテゴリー名を指定することにより、ログイン操作を行わなくても、所望のカテゴリー名に含まれる再生履歴情報（レジューム情報）を把握することができ、選択された再生履歴情報に基づいて、端末装置やカテゴリー毎に記憶されている再生停止位置（再生再開位置）から容易にコンテンツの再生を再開することが可能になる。また、通信機能を有するサーバ装置は、ネットワークを介してアクセス可能状態にある端末装置のみに対してレジューム情報の取得を行うため、外出しているユーザが保持している端末装置などのように、ネットワークを介して認識されない（アクセス可能状態にない）端末装置は対象とならず、外出しているユーザが保持している端末装置から余分なレジューム情報を取得することがない。
【００１２】
好ましくは、サーバ装置は、コンテンツ出力手段がコンテンツの出力を停止した位置に基づいて再生履歴情報を更新するサーバ更新手段と、カテゴリー名を記憶しており、コンテンツの出力が停止された際にサーバ装置とネットワークを介して接続可能状態にある端末装置に、更新された再生履歴情報を送信する更新情報送信手段と、をさらに備え、端末装置は、受信した更新された再生履歴情報に基づいて、カテゴリー名に関連付けて記憶されている再生履歴情報を更新する端末更新手段と、をさらに備える。
【００１３】
好ましくは、ネットワークシステムにおいて、再生履歴情報は、コンテンツの配信元のＵＲＩ情報を含む。
【００１４】
本発明に係るコンテンツの再生制御方法は、コンテンツを出力するコンテンツ出力手段と、コンテンツ出力手段にアクセス可能なサーバ装置と、サーバ装置とネットワークを介して接続可能な複数の端末装置と、を利用したコンテンツの再生制御方法であって、端末装置が、コンテンツに関する再生履歴情報を、カテゴリー名に関連付けて記憶するステップと、サーバ装置が、サーバ装置とネットワークを介して接続可能状態にある少なくとも１つの端末装置を認識するステップと、接続可能状態にある少なくとも１つの端末装置が、カテゴリー名をサーバ装置に送信するステップと、サーバ装置が、サーバ装置とネットワークを介して接続可能状態にある少なくとも１つの端末装置から送信されたカテゴリー名に基づいて、カテゴリー名リストを作成して、第１の選択候補として出力するステップと、サーバ装置が、第１の選択候補からいずれかのカテゴリー名が選択されると、選択されたカテゴリー名が記憶されているそれぞれの端末装置に、カテゴリー名に関連付けられて記憶されている再生履歴情報を送信させるための要求を行うステップと、それぞれの端末装置が、サーバ装置からの要求に応じて、カテゴリー名に関連付けられて記憶されている再生履歴情報をサーバ装置に送信するステップと、サーバ装置が、それぞれの端末装置から送信された再生履歴情報に基づいて再生履歴情報リストを作成して、第２の選択候補として出力するステップと、第２の選択候補からいずれかの再生履歴情報が選択されて、コンテンツ出力手段が、選択された再生履歴情報に基づいてコンテンツを出力するステップと、を備える。
【００１５】
好ましくは、サーバ装置が、コンテンツ出力手段がコンテンツの出力を停止した位置に基づいて再生履歴情報を更新するステップと、サーバ装置が、カテゴリー名を記憶しており、コンテンツの出力が停止された際にサーバ装置とネットワークを介して接続可能状態にある端末装置に、更新された再生履歴情報を送信するステップと、端末装置が、受信した更新された再生履歴情報に基づいて、カテゴリー名に関連付けて記憶されている再生履歴情報を更新するステップと、をさらに備える。
【００１６】
好ましくは、再生制御方法において、再生履歴情報は、コンテンツの配信元のＵＲＩ情報を含む。
【００１７】
本発明に係るサーバ装置は、ネットワークを介して少なくとも１つの端末装置と接続可能なサーバ装置であって、コンテンツを出力するコンテンツ出力手段にアクセス可能であり、サーバ装置とネットワークを介して接続可能状態にある少なくとも１つの端末装置を認識する認識手段と、サーバ装置とネットワークを介して接続可能状態にある少なくとも１つの端末装置から送信されたカテゴリー名に基づいて、カテゴリー名リストを作成して、第１の選択候補として出力する第１のリスト出力手段と、第１の選択候補からいずれかのカテゴリー名が選択されると、選択されたカテゴリー名が記憶されているそれぞれの端末装置に、カテゴリー名に関連付けられて記憶されている再生履歴情報を送信させるための要求を行う要求手段と、それぞれの端末装置から送信された再生履歴情報に基づいて再生履歴情報リストを作成して、第２の選択候補として出力する第２のリスト出力手段と、第２の選択候補からいずれかの再生履歴情報が選択されると、選択された再生履歴情報に基づいてコンテンツ出力手段にコンテンツを出力させる出力命令手段と、を備える。
【００１８】
好ましくは、コンテンツ出力手段がコンテンツの出力を停止した位置に基づいて再生履歴情報を更新するサーバ更新手段と、カテゴリー名を記憶しており、コンテンツの出力が停止された際にサーバ装置とネットワークを介して接続可能状態にある端末装置に、更新された再生履歴情報を送信する更新情報送信手段と、をさらに備える。
【００１９】
好ましくは、サーバ装置において、再生履歴情報は、コンテンツの配信元のＵＲＩ情報を含む。
【００２０】
本発明に係る端末装置は、ネットワークを介して、コンテンツを出力するコンテンツ出力手段とアクセス可能なサーバ装置に接続可能な端末装置であって、コンテンツに関する再生履歴情報を、カテゴリー名に関連付けて記憶する端末記憶手段と、カテゴリー名をサーバ装置に送信する端末送信手段と、を含み、端末送信手段は、サーバ装置からの要求に応じて、カテゴリー名に関連付けられて記憶されている再生履歴情報をサーバ装置に送信する。
【００２１】
好ましくは、サーバ装置から受信した更新された再生履歴情報に基づいて、カテゴリー名に関連付けて記憶されている再生履歴情報を更新する端末更新手段と、をさらに備える。
【００２２】
好ましくは、端末装置において、再生履歴情報は、コンテンツの配信元のＵＲＩ情報を含む。
【発明の効果】
【００２３】
以上のように、簡便な操作によって端末装置に記憶されているコンテンツの再生履歴情報に基づいてコンテンツの続きを視聴することができる。
【発明を実施するための最良の形態】
【００２４】
以下、図面に基づいて本発明の実施の形態について説明する。なお以下の説明では、同一の部品については同一の符号を付すものとし、前記部品の名称や機能が同一である場合には、前記部品についての詳細な説明は繰り返さない。
【００２５】
＜全体構成＞
図１は本実施の形態に係るネットワークシステム１の全体構成を示す概略図である。図２は本実施の形態に係るネットワークシステム１のハードウェア構成を示すブロック図である。図１に示すように、本実施の形態に係るネットワークシステムは、サーバ装置１０と、少なくとも１つ以上の端末装置２０ａ，２０ｂ・・・と、ネットワーク３０とを備えている。以下では、端末装置２０ａ，２０ｂ・・・の各々の構成や機能を説明する際には、端末装置２０ａ，２０ｂ・・・の各々を端末装置２０と総称する。
【００２６】
本実施の形態に係るサーバ装置１０は、コンテンツサーバやパーソナルコンピュータやハードディスクレコーダやテレビなどのようにコンテンツを保存したり出力する機能を有する装置であって、ネットワーク３０を介してコンテンツの再生管理を行う装置である。但し、サーバ装置１０は、ネットワーク３０を介して接続可能な他の出力装置や端末装置を用いて、コンテンツの再生管理を行う装置であってもよく、すなわちコンテンツの保存や出力を他の機器に行わせる形態であってもよい。
【００２７】
端末装置２０は、端末装置やＰＤＡや非接触ＩＣカードなどのように、ユーザが携帯することが可能な装置であって、前記ユーザが過去に視聴したコンテンツに関する再生履歴情報（以下、レジューム情報という。）を記憶する機能を有する装置である。
【００２８】
ネットワーク３０は、イーサネット（登録商標）、ＰＬＣ、無線ＬＡＮ、Ｂｌｕｅｔｏｏｔｈ（登録商標）などの通信技術によって実現されるネットワーク網である。
【００２９】
＜サーバ装置＞
次に、サーバ装置１０について説明する。
【００３０】
図２に示すように、サーバ装置１０は、出力部１１と、入力部１２と、サーバ制御部１３と、通信部１４と、サーバ記憶部１５とを備える。出力部１１は、コンテンツの映像を映す表示パネル、音声を出力するスピーカ、サーバ装置１０の動作状態を示すＬＥＤ（Light Emitting Diode）ランプなどから構成されるものであって、ユーザにコンテンツの映像や音声やその他の情報を伝える役割を果たす。
【００３１】
入力部１２は、サーバ装置１０に配置された操作ボタンなどから構成されるものであって、ユーザからの命令を受け付けて、受け付けた命令をサーバ制御部１３へ伝えるものである。また、入力部１２は、サーバ装置のリモコンのようにサーバ装置１０とは別に実装されるものであってもよい。また、液晶表示パネル付きリモコンのように、入力部１２だけでなく出力部１１の一部が設けられる構成であってもよい。
【００３２】
サーバ制御部１３は、ＣＰＵ（Central Processing Unit）やＭＰＵ（Micro Processing Unit）などから構成されるものであって、端末装置２０ａ，２０ｂ・・・から受信したカテゴリー名（以下、フォルダ名という。）からカテゴリー名リスト（以下、フォルダ名リストという。）を作成したり、受信したレジューム情報から再生履歴情報リスト（以下、レジューム情報リストという。）を作成したり、サーバ記憶部１５に情報を読み出したり、サーバ記憶部１５に情報を記憶させたり、サーバ記憶部１５に記憶されている情報を更新したりするものである。また、サーバ制御部１３は、ユーザに再生したいコンテンツを選ばせるためのコンテンツリストの作成や、再生するコンテンツデータの復号化やデコード処理などコンテンツ再生のメイン処理を行う役割を果たす。
【００３３】
通信部１４は、ネットワーク３０につながる他の装置、たとえば端末装置２０ａ，２０ｂ・・・や他のサーバ装置やアクセスポイント３２やルータ３１等の存在を把握し、必要に応じて他の装置との間で情報を送受信する役割を果たす。つまり、通信部１４は、サーバ制御部１３からの指令に応じて、ルータ３１やインターネット３３を介して、外部のサーバ等にコンテンツを要求したり、外部のサーバからコンテンツを受信したりすることができる。
【００３４】
サーバ記憶部１５は、コンテンツ毎のレジューム情報や該レジューム情報が格納されたフォルダ名の情報を記憶する役割を果たす。但し、サーバ記憶部１５が、コンテンツを記憶する形態であってもよい。
【００３５】
＜端末装置＞
次に、端末装置２０について説明する。
【００３６】
図２に示すように、端末装置２０は、出力部２１と入力部２２と端末制御部２３と通信部２４と端末記憶部２５とを備える。出力部２１は、端末装置２０に設けられた表示パネルやスピーカから構成され、ユーザへ結果の出力を行うものである。たとえば、出力部２１は、フォルダの作成結果や削除結果を表示するものであって、フォルダに記録されているレジューム情報の閲覧のように、ユーザの要求に応じた結果を表示する。
【００３７】
入力部２２は、端末装置２０に配置された操作ボタンなどから構成されるものであって、ユーザからの命令を受け付けて、端末制御部２３に伝えるものである。
【００３８】
端末制御部２３は、出力部２１、入力部２２、通信部２４、端末記憶部２５などの端末装置２０各部の制御を行うものである。たとえば、端末制御部２３は、通信部２４にて受信した認識メッセージやフォルダ名やレジューム情報の送信要求メッセージに応じて、端末記憶部２５からフォルダ名やレジューム情報や宛先アドレスを読み出し、通信部２４を介して、要求のあった他の装置たとえばサーバ装置１０にフォルダ名やレジューム情報や宛先アドレスを送信する役割を果たす。
【００３９】
通信部２４は、ネットワーク３０を介して他の装置たとえばサーバ装置１０と情報の送受信を行うものである。また、通信部２４は、端末装置２０の端末検索フレーム（認識メッセージ）をサーバ装置１０から受信して、端末装置２０の存在を知らせる情報を送信する役割を果たす。また、通信部２４は、ネットワーク３０を介して他の装置からフォルダ情報やレジューム情報の取得要求を受信し、端末記憶部２５に記憶されているフォルダ情報やレジューム情報を要求のあった他の装置に送信する役割を果たす。また、通信部２４は、ネットワーク３０を介して、他の装置からフォルダ名やレジューム情報の提供通知によって提供されたフォルダ名やレジューム情報を受信する役割を果たす。
【００４０】
端末記憶部２５は、任意のユーザ名や、端末装置２０を特定するための宛先アドレスや、フォルダ名（カテゴリー名）や、コンテンツ名とレジュームポイント（再生再開位置）を含むレジューム情報、が格納されたデータベースを記憶するものである。それぞれのユーザ名やレジューム情報は、フォルダ名によって特定されるフォルダ内に格納されており、より詳しくはレジューム情報はフォルダ名に関連付けられて記憶されている。また、ネットワーク３０や通信部２４や端末制御部２３を介して、サーバ装置１０から提供されてくる更新されたレジューム情報を記憶したり、更新されたレジューム情報を基に記憶されているレジューム情報を更新する役割を果たす。
【００４１】
＜各機能と処理＞
以下では、サーバ装置１０および端末装置２０が有する機能と、サーバ装置１０と端末装置２０が行う処理についての説明を行う。本実施の形態においては、サーバ装置１０を、代表的に、ＤＬＮＡ（Digital Living Network Alliance：デジタル・リビング・ネットワーク・アライアンス；以下ＤＬＮＡと称す。）が策定するガイドラインに対応したテレビとし、端末装置２０ａ，２０ｂ・・・を、代表的に、携帯電話として説明を行う。
【００４２】
図３はサーバ装置１０の機能構成を示す機能ブロック図である。図３に示すように、サーバ装置１０は、認識部１３−１と、第１のリスト出力部１３−２と、要求部１３−３と、第２のリスト出力部１３−４と、出力命令部１３−５と、サーバ更新部１３−６と、更新情報送信部１４−１と、コンテンツ出力部１１−１と、を備える。但し、コンテンツ出力部１１−１は、サーバ装置１０内に装備される必要はなく、サーバ装置１０がネットワーク３０等を介してアクセス可能であれば、他の外部機器に備えられる装置であってもよい。
【００４３】
そして、以下に説明する処理や機能は、サーバ制御部１３や端末制御部２３が、予め端末記憶部２５やサーバ記憶部１５に格納されている制御プログラムを実行することにより、実現されるものである。
【００４４】
サーバ制御部１３および通信部１４により実現される認識部１３−１は、ネットワーク３０を介してサーバ装置１０と接続可能状態にある少なくとも１つの端末装置を認識する。ここで、「接続可能状態にある」というのは、サーバ装置１０がアクセスポイント３２等のネットワークを介して端末装置２０と情報の送受信を行える状態をいい、サーバ制御部１３が送信するメッセージにすぐに応答できる状態をいう。または、「接続可能状態にある」とは、サーバ装置１０に接続されているアクセスポイント３２のエリア範囲内、もしくはサーバ装置１０が基地局になる場合にはサーバ装置１０のエリア範囲内に、端末装置２０が存在することをいい、サーバ装置１０がテレビである場合には、テレビが鑑賞できる範囲内に端末装置２０が存在することをいう。たとえば、本実施の形態においては、「接続可能状態にある」とは、後述する「端末把握処理」によってサーバ装置１０が端末装置２０を認識することができる状態にあることをいう。
【００４５】
サーバ制御部１３により実現される第１のリスト出力部１３−２は、サーバ装置１０とネットワーク３０を介して接続可能状態にある少なくとも１つの端末装置２０から送信されてきたカテゴリー名に基づいて、カテゴリー名リストを作成して、第１の選択候補としてディスプレイ等の出力部１１に出力する。サーバ制御部１３や通信部１４により実現される要求部１３−３は、第１の選択候補からいずれかのカテゴリー名が選択された際に、選択されたカテゴリー名が記憶されているそれぞれの端末装置２０に、前記カテゴリー名に関連付けられて記憶されているレジューム情報を送信させるための要求メッセージを送信する。サーバ制御部１３や出力部１１により実現される第２のリスト出力部１３−４は、それぞれの端末装置２０から送信されたレジューム情報に基づいてレジューム情報リストを作成して、第２の選択候補として出力する。
【００４６】
サーバ制御部１３により実現される出力命令部１３−５は、第２の選択候補からいずれかのレジューム情報が選択されると、選択されたレジューム情報に基づいて前記コンテンツ出力部１１−１に前記コンテンツを出力させる。サーバ制御部１３により実現されるサーバ更新部１３−６は、コンテンツ出力部１１−１がコンテンツの出力を停止した位置に基づいて、サーバ記憶部１５に記憶されているレジューム情報を更新する。サーバ制御部１３や通信部１４により実現される更新情報送信部１４−１は、前記カテゴリー名を記憶しており、前記コンテンツの出力が停止された際に前記サーバ装置１０とネットワーク３０を介して接続可能状態にある端末装置２０に、更新されたレジューム情報を送信する。
【００４７】
そして、コンテンツ出力部１１−１は、コンテンツをディスプレイや他の装置に出力する。本実施の形態においては、サーバ装置１０をテレビとしており、コンテンツ出力部１１−１をディスプレイ等のサーバ装置１０に付属の装置としているが、このような構成に限定するものではなく、コンテンツ出力部１１−１はサーバ装置１０外部の機器であってもよい。すなわち、コンテンツ出力部１１−１が、コンテンツを記憶している外部のコンテンツサーバであって、サーバ装置からの命令によって、他の装置のディスプレイに映像データや音声データを出力する構成であってもよい。
【００４８】
図４は、端末装置２０の機能構成を示す機能ブロック図である。図４に示すように、端末装置２０は、端末送信部２４−１と、端末記憶部２５と、端末更新部２３−１とを備える。前述したように、端末記憶部２５は、コンテンツに関するレジューム情報を、カテゴリー名に関連付けて記憶する。端末制御部２３や端末通信部２４によって実現される端末送信部２４−１は、前記カテゴリー名をネットワーク３０を介してサーバ装置１０へと送信する。そして、端末送信部２４−１は、前記サーバ装置１０からの要求に応じて、前記カテゴリー名に関連付けられて記憶されているレジューム情報を前記サーバ装置１０へと送信する。端末制御部２３や端末記憶部２５によって実現される端末更新部２３−１は、サーバ装置１０から受信した更新されたレジューム情報に基づいて、前記カテゴリー名に関連付けて記憶されているレジューム情報を更新する。
【００４９】
図５（ａ）は再生履歴情報に含まれる情報の内容を示した概念図であり、図５（ｂ）は再生履歴情報に含まれる別の内容を示した概念図である。ここで、「再生履歴情報」（レジューム情報）とは、それぞれのユーザが過去に視聴したり保存したコンテンツ毎の再生および停止に関する履歴情報である。レジューム情報には、少なくとも、前記コンテンツを特定するためのコンテンツ名に関する情報と、コンテンツデータの存在場所を示すＵＲＩ情報と、前記コンテンツの再生・停止操作に関する過去の操作情報とを含む。
【００５０】
この場合、レジューム情報には、再生再開位置（レジュームポイント）情報とともに、コンテンツのＵＲＩ情報が含まれているので、サーバ装置１０が前記ＵＲＩ情報を利用してコンテンツを配信する装置やデータにアクセスすることにより、容易にコンテンツの続きを視聴することができる。
【００５１】
より詳細には、レジューム情報は、たとえば図５（ａ）に示すレジューム情報Ａのように、コンテンツの再生・停止情報に関する操作情報としての再生再開位置情報（レジュームポイント）が含まれている。レジューム情報Ａは、過去にユーザが映画「ＡＢＣ」を最初から再生した後に７分１１秒のところで映画の再生を停止した時に作成されたレジューム情報であって、レジューム情報Ａを利用すればコンテンツの続き（７分１２秒）から映画の再生を再開することができるようになる。
【００５２】
また、レジューム情報は、たとえば図５（ｂ）に示すレジューム情報Ｂのように、コンテンツの再生・停止情報に関する操作情報としてのコンテンツ操作情報（過去のレジュームポイントの履歴）が含まれている。レジューム情報Ｂは、過去にユーザがニュース「ＸＹＺ」を最初から再生した後に８分６秒のところでニュースの再生を停止した時に作成されたレジューム情報であって、ニュースの再生中においてコマーシャルがあった箇所だけユーザが早送り再生でスキップしたことを示す情報等も操作情報として含んでいる。レジューム情報Ｂを利用すれば、ユーザがコンテンツの再生において、どの部分に興味があったか等についての情報を把握することができるようになる。また、スキップで飛ばした箇所だけを後から再生して視聴することも可能となる。
【００５３】
次に、フォルダ名（カテゴリー名）とレジューム情報（レジューム情報）との関係について説明する。図６は各端末装置２０に記憶されているカテゴリー名とレジューム情報との関係を示す概念図である。図６（ａ）では、たとえば春子が所有する端末装置を端末装置２０ａとし、春子の端末装置２０ａが記憶しているカテゴリー名とレジューム情報との関係を示している。図６（ｂ）では、たとえば夏男が所有する端末装置を端末装置２０ｂとし、夏男の端末装置２０ｂが記憶しているカテゴリー名とレジューム情報との関係を示している。図７はサーバ装置１０に記憶されるカテゴリー名とレジューム情報との関係を示す概念図である。
【００５４】
図６（ａ）に示すように、あるユーザ（春子）が保有する端末装置２０ａの端末記憶部２５には、「みんな」というフォルダ名と、「韓ドラ」というフォルダ名と、「春子」というフォルダ名が記憶されている。そして、「みんな」というフォルダ名が付された「みんな」フォルダには、レジューム情報Ａとレジューム情報Ｂとレジューム情報Ｈとが保存されている。つまり、レジューム情報Ａとレジューム情報Ｂとレジューム情報Ｈは、「みんな」というフォルダ名（カテゴリー名）と関連付けられて、端末記憶部２５に記憶されている。同様に、「韓ドラ」というフォルダ名が付されたフォルダには、レジューム情報Ｃとレジューム情報Ｄとが保存されている。つまり、レジューム情報Ｃとレジューム情報Ｄは、「韓ドラ」というフォルダ名（カテゴリー名）と関連付けられて、記憶されている。同様に、「春子」というフォルダ名が付された「春子」フォルダには、レジューム情報Ｅとレジューム情報Ｆとレジューム情報Ｇとが保存されている。つまり、レジューム情報Ｅとレジューム情報Ｆとレジューム情報Ｇは、「みんな」というフォルダ名（カテゴリー名）と関連付けられて、端末記憶部２５に記憶されている。
【００５５】
上記と同様に、図６（ｂ）に示すように、別のユーザ（夏男）が保有する端末装置２０ｂの端末記憶部２５には、「みんな」というフォルダ名と、「アニメ」というフォルダ名と、「夏男」というフォルダ名が記憶されている。そして、「みんな」というフォルダ名が付された「みんな」フォルダには、レジューム情報Ａとレジューム情報Ｂとが保存されている。つまり、レジューム情報Ａとレジューム情報Ｂは、「みんな」というフォルダ名（カテゴリー名）と関連付けられて、端末記憶部２５に記憶されている。同様に、「アニメ」というフォルダ名が付されたフォルダには、レジューム情報Ｍとレジューム情報Ｎとが保存されている。つまり、レジューム情報Ｍとレジューム情報Ｎは、「アニメ」というフォルダ名（カテゴリー名）と関連付けられて、記憶されている。同様に、「夏男」というフォルダ名が付された「夏男」フォルダには、レジューム情報Ｏとレジューム情報Ｐとレジューム情報Ｑとが保存されている。つまり、レジューム情報Ｏとレジューム情報Ｐとレジューム情報Ｑは、「みんな」というフォルダ名（カテゴリー名）と関連付けられて、端末記憶部２５に記憶されている。
【００５６】
そして、後述するように、ネットワーク３０を介してサーバ装置１０とアクセス可能状態にあるそれぞれの端末装置２０ａ，２０ｂから、サーバ装置１０に前記カテゴリー名やカテゴリー名に関連付けられたレジューム情報が送信される。
【００５７】
すると、図７に示すように、サーバ装置１０のサーバ記憶部１５（図２参照）には、端末装置２０ａ，２０ｂ・・・から受信したフォルダ名やレジューム情報が記憶される。より詳細は、サーバ制御部１３が、端末装置２０ａ，２０ｂ・・・から受信したフォルダ名から重複するものを統合してサーバ記憶部１５に記憶する。たとえば、図６および図７に示すように、端末装置２０ａと端末装置２０ｂとからサーバ装置１０に「みんな」という共通のフォルダ名が送信されてきた場合には、サーバ装置１０にて「みんな」というフォルダ名に統一される。より詳しくは、前記サーバ制御部１３が「みんな」というフォルダ名に統一して、「みんな」フォルダにレジューム情報Ａとレジューム情報Ｂとレジューム情報Ｈとを格納する。このようにして、端末装置２０ａ，２０ｂ・・・に記憶されているそれぞれのフォルダ名がサーバ装置１０にて統一され、当該フォルダ名を有するフォルダ内には端末装置２０ａ，２０ｂ・・・が有している当該フォルダ内の全てのレジューム情報が格納（記憶）される。
【００５８】
＜フォルダ作成処理＞
次に、端末装置２０の端末記憶部２５に新たなフォルダを作成する処理について説明する。図８は端末装置におけるフォルダ作成処理を示すフローチャートである。図８に示すように、端末装置２０の入力部２２はアイドル状態において、ユーザからのフォルダ作成要求の待ち受けを行っている（ステップ１０１、以下ステップをＳと略す。）。ユーザからのフォルダ作成要求は、入力部２２が受け付けるものとし、たとえば、端末装置２０に取り付けられたフォルダ作成用のボタンが押される場合や、端末装置２０上で動作するフォルダ管理用のアプリケーションにおいてフォルダの作成がユーザによって選択される場合などが考えられる。フォルダ作成要求時には新たに作成したいフォルダ名が入力されるものとし、入力部２２がフォルダ作成要求を受け付けると（Ｓ１０２）、端末制御部２３がそのフォルダ名で新たにフォルダを作成するように端末記憶部２５に指示を行う（Ｓ１０３）。なお、フォルダ名は当該端末装置２０において各々のフォルダを唯一に特定するための識別情報である。
【００５９】
指示を受けた端末記憶部２５は、端末記憶部２５が既に記憶している情報の中に新たに作成したいフォルダ名がないかを確認し（Ｓ１０４）、重複していない場合（Ｓ１０５にてＹＥＳの場合）はそのフォルダ名で新たなフォルダを作成し記憶する（Ｓ１０６）。なお、フォルダ作成要求にフォルダの作成者や作成日時などが付与されている場合、それらの情報もフォルダ名に付与して記憶しておいてもよい。
【００６０】
その後、端末記憶部２５において新たなフォルダの作成に成功すると、端末制御部２３は出力部２１（端末装置２０の表示パネル）を用いて新たなフォルダの作成が完了したことをユーザに伝える（Ｓ１０７）。また、フォルダ名が重複していた場合（Ｓ１０５にてＮＯの場合）は、端末制御部２３は端末記憶部２５に新たなフォルダの作成を行うことなく、出力部２１にフォルダの作成に失敗した旨の情報を伝える（Ｓ１０８）。出力部２１は、当該情報を受けて端末装置の表示パネルを用いて新たなフォルダの作成に失敗したことをユーザに伝える（Ｓ１０９）。以上の処理によって、端末装置の端末記憶部２５に新たなフォルダが作成される。
【００６１】
＜フォルダ削除処理＞
次に、端末装置２０の端末記憶部２５に記憶されたフォルダを削除する処理について説明する。図９は、端末装置におけるフォルダ削除処理を示すフローチャートである。
【００６２】
端末装置２０の入力部２２はアイドル状態において、ユーザからのフォルダ削除要求の待ち受けを行っている（Ｓ２０１）。ユーザからのフォルダ削除要求については、端末装置２０に取り付けられたフォルダ削除用のボタンが押される場合や、端末装置２０上で動作するフォルダ管理用のアプリケーションにおいてフォルダの削除がユーザによって選択される場合などが考えられる。フォルダ削除要求には少なくとも削除したいフォルダ名が含まれており、入力部２２がフォルダ削除要求を受け付けると（Ｓ２０２にてＹＥＳの場合）、端末制御部２３が端末記憶部２５にそのフォルダ名のフォルダを削除するように指示を行う（Ｓ２０３）。
【００６３】
指示を受けた端末記憶部２５は記憶している情報からフォルダ名を基に検索を行い（Ｓ２０４）、該当するフォルダを見つけた場合（Ｓ２０５にてＹＥＳの場合）はそのフォルダの情報を消去し、出力部２１にフォルダの削除が成功したことを伝える（Ｓ２０６）。そして、出力部２１は端末装置の表示パネルを用いてフォルダの削除が完了したことをユーザに伝える（Ｓ２０７）。また、該当するフォルダが見つからない場合（Ｓ２０５にてＮＯの場合）は、出力部２１にフォルダの削除が失敗したことを伝え（Ｓ２０８）、出力部２１は端末装置２０の表示パネルを用いてフォルダの削除が失敗したことをユーザに伝える（Ｓ２０９）。以上の処理によって、端末装置２０の端末記憶部２５に記憶されたフォルダを削除できる。
【００６４】
＜レジューム閲覧処理＞
次に、端末装置２０の端末記憶部２５に記憶されたフォルダに格納されたレジューム情報を端末装置２０上で閲覧する処理について説明する。図１０は、端末装置に記憶されているフォルダ名を表示するための処理を示すフローチャートである。
【００６５】
端末装置２０の入力部２２はアイドル状態において、ユーザからのフォルダ閲覧要求の待ち受けを行っている（Ｓ３０１）。ユーザからのフォルダ閲覧要求については、端末装置２０に取り付けられたフォルダ閲覧用のボタンが押される場合や、端末装置２０上で動作するフォルダ管理用のアプリケーションにおいてフォルダの閲覧がユーザによって選択される場合などが考えられる。フォルダ閲覧要求には少なくとも閲覧したいフォルダ名が含まれており、入力部２２はフォルダ閲覧要求を受け付けると（Ｓ３０２にてＹＥＳの場合）、端末記憶部２５にそのフォルダ名のフォルダに格納されたレジューム情報を提供するように指示を行う。指示を受けた端末記憶部２５は、フォルダ名に基づいて、記憶している情報に対して検索を行い（Ｓ３０３）、該当するフォルダ名を見つけた場合（Ｓ３０４にてＹＥＳの場合）は、そのフォルダに格納されているレジューム情報を出力部２１に提供する（Ｓ３０５）。レジューム情報を受け取った出力部２１は、端末装置２０の表示パネルを用いてレジューム情報を表示しユーザに伝える（Ｓ３０６）。
【００６６】
また、該当するフォルダが見つからない場合（Ｓ３０４にてＮＯの場合）は、端末制御部２３が出力部２１にフォルダの削除が失敗した旨を伝え（Ｓ３０７）、出力部２１は端末装置の表示パネルを用いてフォルダの閲覧が失敗したことをユーザに伝える（Ｓ３０８）。以上の処理によって、ユーザは、端末装置２０の端末記憶部２５に記憶されたフォルダに格納されたレジューム情報を端末装置２０上で閲覧できる。
【００６７】
＜端末検索処理＞
次に、サーバ装置１０がネットワーク３０上にある端末装置２０ａ，２０ｂ・・・を把握するために送信される端末検索フレーム（認識メッセージ）に対して各々の端末装置２０が応答する処理について説明する。図１１は認識メッセージに対して端末装置が応答する処理を示すフローチャートである。
【００６８】
通信部２４は、常時サーバ装置１０からの端末検索フレームを待ち受けており（Ｓ４０１）、端末検索フレームを受信した場合（Ｓ４０２にてＹＥＳの場合）には、少なくとも端末装置２０をネットワーク３０上で唯一に特定するための情報を含む端末通知フレームをサーバ装置１０に送信する（Ｓ４０３）。なお、それぞれの端末装置２０ａ，２０ｂ・・・を特定するための情報としては、端末装置番号やＩＰアドレスやＭＡＣアドレスなどが考えられる。以上の処理によって、サーバ装置１０がネットワーク３０上にある端末装置２０ａ，２０ｂ・・・を把握するために送信される端末検索フレームに対して、端末装置２０ａ，２０ｂ・・・が端末通知フレームによって応答することができる。
【００６９】
＜フォルダ名取得処理＞
次に、サーバ装置１０が端末装置２０の端末記憶部２５が記憶するフォルダ名の一覧リストを取得するために送信する端末情報取得フレームに対して端末装置２０が応答する処理について説明する。図１２は端末装置に記憶されているフォルダ名の一覧をサーバ装置へ送信する処理を示すフローチャートである。
【００７０】
通信部２４は、サーバ装置１０からの端末情報取得フレームを待ち受けており（Ｓ５０１）、端末情報取得フレームを受信した場合（Ｓ５０２にてＹＥＳの場合）には、端末記憶部２５に記憶されているフォルダ名についての情報を提供するように指示する（Ｓ５０３）。端末制御部２３は、端末記憶部２５に記憶されている情報に基づいてフォルダ名の一覧リストを作成し、通信部２４に提供する（Ｓ５０４）。通信部２４は、提供されたフォルダ名の一覧リストを基に端末情報提供フレームを作成し（Ｓ５０５）、前記端末情報提供フレームをサーバ装置１０に送信する（Ｓ５０６）。なお、フォルダ名の一覧リストは端末装置２０の端末記憶部２５が記憶している複数のフォルダそれぞれに付されたフォルダ名の集合情報である。端末装置２０にフォルダが作成されていない状況では、フォルダ名の一覧リストが空の状態で端末情報提供フレームが作成され（Ｓ５０５）、サーバ装置１０へ送信されることになる（Ｓ５０６）。以上の処理によって、サーバ装置１０は端末装置２０の端末記憶部２５が記憶するフォルダ名の一覧リストを取得するために送信される端末情報取得フレームに対して、端末装置２０が端末情報提供フレームによって応答することができる。
【００７１】
＜レジューム情報取得処理＞
次に、サーバ装置１０が特定のフォルダに格納されているレジューム情報を取得するために送信するレジューム情報取得フレーム（要求メッセージ）に対して端末装置２０が応答する処理について説明する。図１３は端末装置が要求メッセージに応答する処理を示すフローチャートである。
【００７２】
通信部２４は、サーバ装置１０からのレジューム情報取得フレームを待ち受けている（Ｓ６０１）。通信部２４がレジューム情報取得フレームを受信した場合（Ｓ６０２にてＹＥＳの場合）、端末制御部２３は端末記憶部２５に記憶されている情報の中から指定のフォルダに格納されているレジューム情報を提供するように指示する。指示を受けた端末記憶部２５は記憶している情報から指定されたフォルダ名を基に検索を行い（Ｓ６０３）、該当するフォルダ名が付されたフォルダが見つかった場合（Ｓ６０４にてＹＥＳの場合）、そのフォルダに格納されているレジューム情報を通信部２４に提供する（Ｓ６０５）。通信部２４は、提供されたレジューム情報を基にレジューム情報提供フレームを作成し（Ｓ６０６）、前記レジューム情報提供フレームをサーバ装置１０に送信する（Ｓ６０７）。
【００７３】
なお、該当するフォルダが見つからなかった場合（Ｓ６０４にてＮＯの場合）、見つからなかったことを通信部２４に伝え（Ｓ６０８）、通信部２４は異常通知フレームを作成してサーバ装置１０に送信する（Ｓ６０９）。以上の処理によって、サーバ装置１０が特定のフォルダに格納されているレジューム情報を取得するために送信するレジューム情報取得フレームに対して、端末装置２０がレジューム情報提供フレームによって応答することができる。
【００７４】
＜端末把握処理＞
次に、サーバ装置１０がネットワーク３０上に存在する端末装置２０ａ，２０ｂ・・・の存在を把握する処理について説明する。図１４は、サーバ装置がネットワーク上に存在する端末装置の存在を把握する処理を示すフローチャートである。
【００７５】
通信部１４は、一定時間が経過するごとに（Ｓ７０１）、端末検索フレームを作成してネットワーク３０上にブロードキャスト送信し、ネットワーク３０上に存在する端末装置２０ａ，２０ｂ・・・から端末通知フレームが送られてくることを一定期間待ち受ける（Ｓ７０２）。ネットワーク３０上に複数の端末装置２０ａ，２０ｂ・・・が存在する場合は、それぞれの端末装置２０ａ，２０ｂ・・・から端末通知フレームを受信することになる（Ｓ７０３）。サーバ記憶部１５はそれまでに把握していた端末装置２０ａ，２０ｂ・・・の情報を端末リストとして記憶しており、前記待ち受け期間の終了後、サーバ制御部１３は受信した端末装置２０ａ，２０ｂ・・・の情報と端末リストの情報の比較を行う（Ｓ７０４）。
【００７６】
前記端末リストに登録されていない新たな端末装置が見つかった場合（Ｓ７０５にてＹＥＳの場合）には、その端末装置から送られてきた端末通知フレームの情報を前記端末リストに付け加える（Ｓ７０６）。なお、このとき端末通知フレームには少なくとも端末装置を唯一に特定できる情報、たとえば宛先アドレス等が含まれている。
【００７７】
さらに、通信部１４もしくはサーバ制御部１３は新たに見つかった端末装置に対する端末情報取得フレームを作成する。そして、通信部１４が新たに見つかった端末装置に前記端末情報取得フレームを送信し（Ｓ７０７）、その端末装置から端末情報提供フレームが返ってくることを待ち受ける。通信部１４が端末情報提供フレームを受信すると、サーバ制御部１３はそのフレームに含まれるフォルダ名の一覧リストに関する情報をサーバ記憶部１５に記憶させる（Ｓ７０８）。
【００７８】
また、サーバ制御部１３が受信した端末装置２０ａ，２０ｂ・・・の情報と端末リストの比較を行った結果、端末リストに登録されている端末装置のうちで応答がないものが見つかった場合（Ｓ７０９にてＹＥＳの場合）には、サーバ記憶部１５に対して前記端末リストから前記応答がない端末装置に関する情報を消去するように指示する。指示を受けたサーバ記憶部１５は該当する情報の消去を行う（Ｓ７１０）。以上の処理によって、サーバ装置がネットワーク３０上に存在する端末装置２０ａ，２０ｂ・・・の存在を把握することができる。すなわち、ネットワークを介してサーバ装置とアクセス可能状態にある端末装置２０ａ，２０ｂ・・・が記憶しているフォルダ名のみに基づく、フォルダ名リストを作成することができる。
【００７９】
＜フォルダ一覧表示処理＞
次に、サーバ装置がユーザからの操作によってフォルダ名の一覧表示の要求に応じてフォルダ名の一覧リストを画面に表示する処理について説明する。図１５は、サーバ装置がカテゴリー名の一覧リストを画面に表示する処理を示すフローチャートである。図１６は、表示されるフォルダ名リストを示すイメージ図である。
【００８０】
図１５に示すように、入力部１２にユーザからのフォルダの一覧表示の操作があった場合（Ｓ８０１にてＹＥＳの場合）は、その旨をサーバ制御部１３に通知する。ユーザからのフォルダ名の一覧表示の操作は、サーバ装置やサーバ装置を操作するためのリモコンに取り付けられたフォルダ名の一覧表示用のボタンが押される場合や、サーバ装置上で動作するフォルダ管理用のアプリケーションにおいてユーザがフォルダ名の一覧表示の機能を選択する場合などが考えられる。フォルダの一覧表示の操作命令を受け付けたサーバ制御部１３はサーバ記憶部１５に記憶されているそれぞれの端末装置２０ａ，２０ｂ・・・が記憶しているフォルダの一覧リストの情報を取得する（Ｓ８０２）。
【００８１】
このとき、図６および図７に示すように、サーバ制御部１３は、端末装置２０ａ，２０ｂ・・・間においてフォルダ名が同じものがあった場合は、それらのフォルダ名を統合してフォルダの一覧リストを再構築する（Ｓ８０３）。サーバ制御部１３は再構築されたフォルダ名の一覧リストを出力部１１に提供し、出力部１１は表示パネルやディスプレイ等に図１６に示すようなフォルダ名の一覧リストを表示する（Ｓ８０４）。以上の処理によって、ユーザの操作に基づくフォルダの一覧表示の要求に応じて、サーバ装置１０がフォルダの一覧リストを画面に表示することができる。
【００８２】
＜レジューム情報表示処理＞
次に、サーバ装置１０がユーザからの操作によって指定されたフォルダに格納されているレジューム情報を画面に表示する処理について説明する。図１７は、サーバ装置が指定されたフォルダに格納されているレジューム情報を画面に表示する処理を示すフローチャートである。
【００８３】
入力部１２にユーザからのレジューム情報の表示の操作に応じた入力が為された場合（Ｓ９０１にてＹＥＳの場合）は、当該入力が為された旨をサーバ制御部１３に通知する。ユーザによるレジューム情報表示の要求については、前述したフォルダの一覧表示の操作でフォルダの一覧が画面に表示されている状態でユーザがその中のフォルダの一つを選択する命令を行った場合などが考えられる。前記選択命令は、たとえばユーザがリモコン操作によって所望のフォルダ名を選択して、たとえば決定ボタンを押下することによって生成されるものである。前記選択命令を受け付けたサーバ制御部１３は、サーバ記憶部１５に記憶されているそれぞれの端末装置２０ａ，２０ｂ・・・のフォルダの一覧リストの情報を基に、指定したフォルダを保有する端末装置２０ａを特定する（Ｓ９０２）。
【００８４】
そして、該当する端末装置２０ａのフォルダに格納されたレジューム情報を取得するためのレジューム情報要求フレームを作成する（Ｓ９０３）。そして、サーバ制御部１３は、通信部１４に対して、作成したレジューム情報要求フレームを送信するように指示を行う（Ｓ９０４）。指示された通信部１４は、該当する端末装置２０ａに対してフォルダ情報取得フレームを送信し（Ｓ９０５）、端末装置２０ａからレジューム情報提供フレームが送られてくるのを待ち受ける。通信部１４はレジューム情報提供フレームを受信すると（Ｓ９０６）、レジューム情報提供フレームの中に含まれるレジューム情報をサーバ制御部１３に提供する（Ｓ９０７）。
【００８５】
なお、指定したフォルダを保有する端末装置２０ａ，２０ｂ・・・が複数ある場合は、それぞれの端末装置２０ａ，２０ｂ・・・に対して前記処理を行い、サーバ制御部１３はそれぞれの端末装置２０ａ，２０ｂ・・・から提供された複数のレジューム情報から重複しているものを統合する処理を行う（Ｓ９０８）。このようにして得られたレジューム情報リストは、サーバ制御部１３から出力部１１に提供され、図１８に示すように、出力部１１は提供されたレジューム情報リストをサーバ装置の画面に表示する（Ｓ９０９）。以上の処理によって、サーバ装置１０が、ユーザからの操作によって指定されたフォルダ名が付されたフォルダに格納されているレジューム情報の一覧を画面に表示することができる。
【００８６】
＜コンテンツ再生処理＞
次に、サーバ装置１０がユーザからの操作によって指定されたレジューム情報を基にコンテンツの再生を行う処理について説明する。図１８は、表示されるレジューム情報リストを示すイメージ図である。図１９は、サーバ装置が選択されたレジューム情報に基づいてコンテンツを再生する処理を示すフローチャートである。
【００８７】
図１９に示すように、入力部１２にユーザからのレジューム情報を用いた再生要求の命令（選択命令）があった場合（Ｓ１００１）は、サーバ制御部１３に再生要求を受け付けた旨を通知する。ユーザからのレジューム情報を用いた再生要求の命令は、図２０に示すようなレジューム情報リストが画面に表示されている状態において、ユーザがリモコンの方向キー等を用いてその中のレジューム情報の一つを選択し、決定ボタンを押すことによって生成される。入力部１２から再生要求の命令を受け付けたサーバ制御部１３は、選択されたレジューム情報に含まれるコンテンツのＵＲＩ情報からコンテンツデータを入手する（Ｓ１００２）。
【００８８】
コンテンツデータがネットワーク３０上の他の機器にある場合は、通信部１４を用いてコンテンツデータの入手が行われ、コンテンツを出力する機器（コンテンツ出力部１１−１）がネットワーク３０上の他の機器である場合には、コンテンツデータの入手方法や出力方法については、ＤＬＮＡ（デジタル・リビング・ネットワーク３０・アライアンス）の策定するガイドラインに沿って行われることとし、ここでの説明は割愛する。
【００８９】
コンテンツデータを入手したサーバ制御部１３は、サーバ記憶部１５から前記選択されたレジューム情報に含まれる再生再開位置の情報を取得し（Ｓ１００３）、前記再生再開位置の情報を基にコンテンツを調整してコンテンツデータのデコード処理を行う。たとえば、図１８のレジューム情報Ａが選択された場合には、再生再開位置が７分１２秒となっているため、たとえば、そのコンテンツを最初から再生した場合に７分１２秒後に再生されている箇所を再生の開始地点としてデコードおよび出力を開始する（Ｓ１００４）。デコードされたデータは出力部１１に提供され、サーバ装置１０の画面（出力部１１）に表示・再生される（Ｓ１００５）。以上の処理によって、サーバ装置１０がユーザからの操作によって指定されたレジューム情報を基にコンテンツの再生を行うことができる。
【００９０】
＜コンテンツ停止処理＞
次に、サーバ装置１０がユーザからの操作によってコンテンツの再生を停止する時に新たなレジューム情報を作成し端末装置２０に配信する処理について説明する。図２０は、サーバ装置が更新されたレジューム情報を端末装置に配信する処理を示すフローチャートである。
【００９１】
図２０に示すように、入力部１２がリモコン等を介してユーザからコンテンツの再生停止の操作を受け付けた場合（Ｓ１１０１）、当該操作を受け付けた旨をサーバ制御部１３に通知する。指示を受けたサーバ制御部１３はコンテンツの再生を停止し、停止した再生位置を再生再開位置とするレジューム情報を新たに作成する（Ｓ１１０２）。但し、サーバ記憶部１５に記憶されたレジューム情報を、コンテンツを停止した位置を再生再開位置情報とするレジューム情報に更新してもよい。
【００９２】
さらにサーバ制御部１３は、前述のフォルダ名の一覧リストを入手する処理を行って、フォルダ名の一覧リストを入手し、新たに作成されたレジューム情報をどのフォルダに格納すべきかをユーザに問い合わせるべく、出力部１１に図１６に示すようなフォルダ名の一覧リストを提供する。出力部１１はフォルダ名の一覧リストをディスプレイ等の画面に表示する（Ｓ１１０３）。ユーザが新たに作成されたレジューム情報を格納するフォルダのフォルダ名を選択すると、入力部１２がサーバ制御部１３に選択されたフォルダ名を通知する（Ｓ１１０５）。
【００９３】
サーバ制御部１３は、格納すべきフォルダの情報を入力部１２から得ると、そのフォルダ（フォルダ名）を保有する端末装置２０を特定し（Ｓ１１０６）、通信部１４に、端末装置２０に更新されたレジューム情報と選択されたフォルダ名とを送信するように指示を行う（Ｓ１１０７）。指示を受けた通信部１４は、少なくともレジューム情報とフォルダ名を特定する情報を含むフォルダ情報更新フレームを作成し、当該フォルダ情報更新フレームを特定された端末装置に送信する（Ｓ１１０８）。以上の処理によって、サーバ装置１０がユーザからの操作によってコンテンツの再生を停止する時に新たなレジューム情報を作成し端末装置２０に配信することができる。
【００９４】
本実施の形態においては、端末検索フレームと端末情報取得フレームとを別々に送信する構成について述べたが、両者を一緒に（同時に）送信する構成であってもよい。すなわち、端末検索フレームにフォルダ名の送信要求を含ませることによって、サーバ装置１０からの端末検索フレームに応じて、端末装置２０がフォルダ名の一覧リストを送信する構成としてもよい。
【００９５】
これまでに説明した処理によって、ユーザが端末装置２０にフォルダを作成しておくことにより、ユーザがサーバ装置１０でコンテンツ再生を行うと、そのときの操作に関する情報がレジューム情報としてユーザが指定するフォルダに蓄積され、次に同じコンテンツの再生を再開する場合に端末装置２０を所持するユーザ毎に前記レジューム情報を利用して中断したところから再生を再開することが可能である。しかも、フォルダ（フォルダ名）という単位でレジューム情報を管理しているので、複数のユーザが同じサーバ装置１０でコンテンツ再生を同時に見ている場合でも、同時にコンテンツ再生を見ていたユーザの端末装置２０ａ，２０ｂ・・・にだけ、同じフォルダ名にて当該レジューム情報を蓄積することができるようになる。よって、途中で席を抜けた人が所持している端末装置は、このレジューム情報によって更新されることがない。
【００９６】
この場合には、複数の端末装置２０ａ，２０ｂ・・・で同一のカテゴリー名を記憶することによって、コンテンツの停止操作を行ったときに、ユーザがレジュームポイントを入力しなくても前記カテゴリー名を記憶する端末装置２０ａ，２０ｂ・・・に対して所定の情報を提供することができ、それぞれのユーザが個別にログインをしなくても、複数のユーザが所持する端末装置２０ａ，２０ｂ・・・に同じレジューム情報を保存することができる。また、通信機能を有するサーバ装置１０は、ネットワーク３０を介してアクセス可能状態にある端末装置２０ａ，２０ｂ・・・のみに対してレジューム情報の提供を行うため、外出しているユーザが所持している端末装置などのようにネットワーク３０を介して検索されない端末装置は対象とならず、外出しているユーザが所持している端末装置２０に更新されたレジューム情報が提供されず不要なレジューム情報の記憶や更新を抑止できる。
【００９７】
前記開示された実施の形態はすべての点で例示であって制限的なものではないと考えられるべきである。本発明の範囲は、上記した説明ではなくて特許請求の範囲によって示され、特許請求の範囲と均等の意味および範囲内においてのすべての変更が含まれることが意図される。
【図面の簡単な説明】
【００９８】
【図１】本実施の形態に係るネットワークシステムの全体構成を示す概略図である。
【図２】本実施の形態に係るネットワークシステムのハードウェア構成を示すブロック図である。
【図３】サーバ装置の機能構成を示す機能ブロック図である。
【図４】端末装置の機能構成を示す機能ブロック図である。
【図５】（ａ）は再生履歴情報に含まれる情報の内容を示した概念図である。（ｂ）は再生履歴情報に含まれる別の内容を示した概念図である。
【図６】（ａ）１の端末装置に記憶されているカテゴリー名とレジューム情報との関係を示す概念図である。（ｂ）別の端末装置に記憶されているカテゴリー名とレジューム情報との関係を示す概念図である。
【図７】サーバ装置に記憶されるカテゴリー名とレジューム情報との関係を示す概念図である。
【図８】端末装置におけるフォルダ作成処理を示すフローチャートである。
【図９】端末装置におけるフォルダ削除処理を示すフローチャートである。
【図１０】端末装置に記憶されているフォルダ名を表示するための処理を示すフローチャートである。
【図１１】認識メッセージに対して端末装置が応答する処理を示すフローチャートである。
【図１２】端末装置に記憶されているフォルダ名の一覧をサーバ装置へ送信する処理を示すフローチャートである。
【図１３】端末装置が要求メッセージに応答する処理を示すフローチャートである。
【図１４】サーバ装置がネットワーク上に存在する端末装置の存在を把握する処理を示すフローチャートである。
【図１５】サーバ装置がカテゴリー名の一覧リストを画面に表示する処理を示すフローチャートである。
【図１６】表示されるフォルダ名リストを示すイメージ図である。
【図１７】サーバ装置が指定されたフォルダに格納されているレジューム情報を画面に表示する処理を示すフローチャートである。
【図１８】表示されるレジューム情報リストを示すイメージ図である。
【図１９】サーバ装置が選択されたレジューム情報に基づいてコンテンツを再生する処理を示すフローチャートである。
【図２０】サーバ装置が更新されたレジューム情報を端末装置に配信する処理を示すフローチャートである。
【符号の説明】
【００９９】
１０  サーバ装置、１１−１  コンテンツ出力部、１１  出力部、１２  入力部、１３  サーバ制御部、１４  通信部、１５  サーバ記憶部、２０，２０ａ，２０ｂ・・・  端末装置、２１  出力部、２２  入力部、２３  端末制御部、２４  通信部、２５  端末記憶部、３０  ネットワーク、３１  ルータ、３２  アクセスポイント、３３  インターネット。
【図１】
2008283368.tif 000003
【図２】
2008283368.tif 000004
【図３】
2008283368.tif 000005
【図４】
2008283368.tif 000006
【図５】
2008283368.tif 000007
【図６】
2008283368.tif 000008
【図７】
2008283368.tif 000009
【図８】
2008283368.tif 000010
【図９】
2008283368.tif 000011
【図１０】
2008283368.tif 000012
【図１１】
2008283368.tif 000013
【図１２】
2008283368.tif 000014
【図１３】
2008283368.tif 000015
【図１４】
2008283368.tif 000016
【図１５】
2008283368.tif 000017
【図１６】
2008283368.tif 000018
【図１７】
2008283368.tif 000019
【図１８】
2008283368.tif 000020
【図１９】
2008283368.tif 000021
【図２０】
2008283368.tif 000022